(57)【要約】      （修正有）【課題】ランスの捩れ変形を抑制可能なコネクタを提供する。【解決手段】筒状の端子５０と、端子５０が挿入される端子収容室と端子収容室に挿入された端子５０を抜け止めする可撓性を有するランス２０を有するコネクタにて、端子５０の壁面には捩れ変形しようとするランス２０に幅方向において当接するスタビライザ５２（規制部）が、端子５０の外側に向けて突設されている。ランス２０にはランス２０の剛性を低下させるためにスリットが形成され、ランス２０による端子５０の抜け止め時には、スタビライザ５２がスリット２４に挿通される。【選択図】図１１
2014035881.tif 000002
【特許請求の範囲】
【請求項１】
相手方端子と電気的に接続する筒状の端子と、
該端子が挿入される端子収容室と、該端子収容室に挿入された前記端子を抜け止めする可撓性を有するランスと、を有するコネクタハウジングと、
を備え、
前記端子の壁面には、前記ランスに該ランスの幅方向において当接する規制部が、前記端子の外側に向けて突設されている、
ことを特徴とするコネクタ。
【請求項２】
前記規制部が、前記端子の前記壁面の一部を前記端子の外側に向けて折り曲げることにより形成されている、
ことを特徴とする請求項１に記載のコネクタ。
【請求項３】
前記ランスには、前記ランスの剛性を低下させるためのスリットが前後方向に沿って形成され、前記抜け止め時には、前記規制部が前記スリットに挿通される、
ことを特徴とする請求項１又は請求項２に記載のコネクタ。
【請求項４】
前記端子が前記端子収容室に誤った向きで挿入された場合には、前記規制部が前記端子収容室の当接部に当接する、
ことを特徴とする請求項１〜請求項３のいずれか１項に記載のコネクタ。
【発明の詳細な説明】
【技術分野】
【０００１】
本発明は、コネクタに関する。
【背景技術】
【０００２】
コネクタハウジング内部の端子収容室に可撓性を有するランスを設け、このランスに形成されたビークを端子収容室に収容された端子の係止孔に係合させることにより、端子を保持固定するコネクタが知られている（例えば、特許文献１参照。）。
【先行技術文献】
【特許文献】
【０００３】
【特許文献１】特開２０１２−８４４０４
【発明の概要】
【発明が解決しようとする課題】
【０００４】
まず、図１３〜図１９を参照して、従来のこの種のコネクタについて説明する。
【０００５】
このコネクタ１０１は、図１３及び図１４に示すように、コネクタハウジング１１０と、電線Ｗの先端に取り付けられた端子１５０と、コネクタハウジング１１０の内部に前方から装着されるフロントホルダ１７０と、相手方コネクタを嵌合させるためのレバー１８０と、防水栓１６０及びパッキン１６５と、を備えている。
【０００６】
コネクタハウジング１１０には、アウタハウジング部１１１と、その内側のインナハウジング部１１２とが設けられており、インナハウジング部１１２の内部に、端子収容室１１４と、端子１５０を前方向に位置決めするストッパ１１５と、端子収容室１１４に後方から端子１５０が挿入された際に端子１５０に押されて端子１５０の挿入経路の外側（図１３では下側。）へ一旦撓み変形し、端子１５０がストッパ１１５で位置決めされる位置まで挿入された段階で撓み変形から復帰して、端子１５０を後方へ位置決め係止する可撓性を有したランス１２０と、が設けられている。
【０００７】
ランス１２０は、インナハウジング部１１２の内周壁から延設され、自由端である先端を前方に向けて片持状に設けられている。ランス２０の自由端である先端に近い幅広面には、端子１５０の係止孔１５４に係合するビーク１２２が幅方向に３つ並んで形成されている。そして、ランス１２０は、図１５に示すように、ビーク１２２がボックス部１５１に形成された係止孔１５４に係合され、端子収容室１１４に挿入された端子１５０を後方へ位置決め係止する。
【０００８】
端子１５０は、図１６に示すように、前部に、相手方コネクタのオスタブ端子（相手方端子、図示せず。）が挿入される扁平角筒状のボックス部１５１を有し、後部に、電線Ｗの先端に加締め固定するための電線加締部１５８を有するもので、ボックス部１５１を構成する幅広の周壁には、ランス１２０の３つのビーク１２２と係合する係止孔１５４が幅方向に３つ並んで形成されている。ボックス部１５１の内部には、オスタブ端子を受け入れる差し込みスペース１４０と、差し込みスペース１４０に進入してきたオスタブ端子をボックス部１５１の内壁との間で弾性挟持するバネ片１５３と、が設けられている。
【０００９】
フロントホルダ１７０は、図１７に示すように、コネクタハウジング１１０のインナハウジング部１１２に対して前側の仮係止位置から後側の本係止位置に押し込み可能に構成されている。
【００１０】
ランス１２０は、フロントホルダ１７０が仮係止位置にあるとき、撓み空間１２８側に撓み変形することで、コネクタハウジング１１０の後方より挿入された端子１５０を抜け止め係止できるように構成されている。
【００１１】
このフロントホルダ１７０には、インナハウジング部１１２の前端外周部に嵌合する筒壁１７１が設けられており、この筒壁の底部側に、図１７（ｂ）に示すように、端子１５０をランス１２０により抜け止め係止した状態でフロントホルダ１７０を仮係止位置から本係止位置に押し込んだとき、ランス１２０の撓み空間１２８内に進入してランス１２０の撓みを禁止し、それにより端子１５０を二重係止するランス押さえ部１７８が設けられている。尚、フロントホルダ１７０は、前後方向に貫通した形状をなしており、図１８に示すように、フロントホルダ１７０の前方から係止解除治具２００を挿入して、係止解除治具２００の先端でランス１２０に形成された押圧部１２１を押圧することにより、ランス１２０を強制的に係止解除側に撓ませられるように構成されている。
【００１２】
ところが、この係止解除時において、従来のコネクタ１０１では、フロントホルダ１７０に対して係止解除治具２００が挿入される位置によっては、図１９に示すように、係止解除治具２００の先端が押圧部１２１の幅方向中央から端部方向にずれた位置を押圧してしまい、図１９（ｂ）に示すように、ランス１２０が捩れてしまう場合があった。このようにランス１２０が捩れ変形してしまうことにより、フロントホルダ１７０に係止解除治具２００を挿入しても、ランス１２０による端子１５０の係止を解除できない虞があった。また、ランス１２０が破損したり、塑性変形してしまう虞があった。
【００１３】
本発明は、上述した事情に鑑みてなされたものであり、その目的は、ランスの捩れ変形を抑制可能なコネクタを提供することにある。
【課題を解決するための手段】
【００１４】
前述した目的を達成するために、本発明に係るコネクタは、下記（１）〜（４）を特徴としている。
（１）  相手方端子と電気的に接続する筒状の端子と、
該端子が挿入される端子収容室と、該端子収容室に挿入された前記端子を抜け止めする可撓性を有するランスと、を有するコネクタハウジングと、
を備え、
前記端子の壁面には、前記ランスに該ランスの幅方向において当接する規制部が、前記端子の外側に向けて突設されている、
こと。
（２）  （１）の構成のコネクタであって、
前記規制部が、前記端子の前記壁面の一部を前記端子の外側に向けて折り曲げることにより形成されている、
こと。
（３）  （１）又は（２）の構成のコネクタであって、
前記ランスには、前記ランスの剛性を低下させるためのスリットが前後方向に沿って形成され、前記抜け止め時には、前記規制部が前記スリットに挿通される、
こと。
（４）  （１）〜（３）のいずれかの構成のコネクタであって、
前記端子が前記端子収容室に誤った向きで挿入された場合には、前記規制部が前記端子収容室の当接部に当接する、
こと。
【００１５】
上記（１）の構成のコネクタでは、ランスに規制部がランスの幅方向において当接するため、ランスの捩れ変形が規制される。このため、ランスの幅方向中央からずれた位置が押圧されてランスが捩れ変形しようとした場合であっても、当該捩れ変形を抑制できる。
上記（２）の構成のコネクタでは、折り曲げという平易な製造工程により端子に規制部を形成することができるため、製造が容易であり、製造コストの増加を抑制できる。
上記（３）の構成のコネクタでは、ランスによる端子の抜け止め時に、ランスの剛性を低下させるためのスリットに規制部が挿通されるため、コネクタを小型化でき、省スペース化及び低コスト化を図ることができる。
上記（４）の構成のコネクタでは、端子が端子収容室に誤った向きで挿入された場合に、規制部が端子収容室の当接部に当接するため、端子の誤挿入の発生を抑制できる。
【発明の効果】
【００１６】
本発明に係るコネクタによれば、ランスの捩れ変形を抑制可能なコネクタを提供できる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】図１は、本実施形態のコネクタを示す分解斜視図である。
【図２】図２は、同コネクタの相手方コネクタと嵌合する前の状態を示す外観斜視図である。
【図３】図３は、コネクタハウジングの端子収容室に、電線の先端に取り付けた端子を挿入しようとしている状態を示す縦断面図である。
【図４】図４（ａ）は端子収容室に端子を挿入する途中の状態を示す縦断面図であり、図４（ｂ）は端子収容室に端子を挿入した状態を示す縦断面図である。
【図５】図５は、端子収容室に端子を挿入した状態を示す水平断面図であり、図４（ｂ）のＶ−Ｖ線に対応する位置における水平断面図である。
【図６】図６（ａ）はコネクタハウジングにおける端子収容室側の構成を示す水平断面斜視図であり、図６（ｂ）は端子を端子収容室に挿入した際の端子とランスの係合状態を示す水平断面図である。
【図７】図７（ａ）は下方から視た端子を示す外観斜視図であり、図７（ｂ）はバネ片を示す斜視図である。
【図８】図８は、フロントホルダを仮係止位置から本係止位置まで押し込み操作する場合の作用説明図で、図８（ａ）はフロントホルダを仮係止位置から本係止位置まで押し込む前の状態を示す縦断面図であり、図８（ｂ）はフロントホルダを仮係止位置から本係止位置まで押し込んだ状態を示す縦断面図である。
【図９】図９は、図８に示す場合と逆に、挿入した端子を外すためにフロントホルダを本係止位置から仮係止位置まで引き出す場合の作用説明図で、図９（ａ）はフロントホルダを本係止位置から仮係止位置まで引き出す前の状態を示す縦断面図、図９（ｂ）はフロントホルダを本係止位置から仮係止位置まで引き出した状態を示す縦断面図である。
【図１０】図１０は、図９に示すようにフロントホルダを仮係止位置まで引き出した状態で、端子を引き抜く場合の作用説明図で、図１０（ａ）は係止解除治具を端子収容室に挿入してランスを係止解除側に強制的に撓ませている状態を示す縦断面図、図１０（ｂ）はその上で端子を端子収容室から引き抜いている状態を示す縦断面図である。
【図１１】図１１は、端子収容室に端子を挿入した状態における端子とランスの関係を説明する説明図であり、端子収容室に端子を挿入した状態における横断面図である。
【図１２】図１２は、上下逆向きに端子を端子収容室に挿入した場合における端子と端子収容室との関係を説明する説明図であり、上下逆向きに端子を端子収容室に挿入した場合における横断面を示す図である。
【図１３】図１３は、従来のコネクタを示す図で、コネクタハウジングの端子収容室に、電線の先端に取り付けた端子を挿入しようとしている状態を示す縦断面図である。
【図１４】図１４（ａ）は端子収容室に端子を挿入する途中の状態を示す縦断面図であり、図１４（ｂ）は端子収容室に端子を挿入した状態を示す縦断面図である。
【図１５】図１５（ａ）はコネクタハウジングにおける端子収容室側の構成を水平断面で示す斜視図であり、図１５（ｂ）は端子を端子収容室に挿入した際の端子とランスの係合状態を水平断面で示す平面図である。
【図１６】図１６は端子を示す外観斜視図であり、図１６（ｂ）はバネ片を示す斜視図である。
【図１７】図１７は、フロントホルダを仮係止位置から本係止位置まで押し込み操作する場合の作用説明図で、図１７（ａ）はフロントホルダを仮係止位置から本係止位置まで押し込む前の状態を示す縦断面図であり、図１７（ｂ）はフロントホルダを仮係止位置から本係止位置まで押し込んだ状態を示す縦断面図である。
【図１８】図１８は、フロントホルダが仮係止位置にある状態で端子を引き抜く場合の作用説明図で、図１８（ａ）は係止解除治具を端子収容室に挿入してランスを係止解除側に強制的に撓ませている状態を示す縦断面図、図１８（ｂ）はその上で端子を端子収容室から引き抜いている状態を示す縦断面図である。
【図１９】図１９は、係止解除時におけるランスの捩り変形を説明するための解除操作側から視た説明図であり、図１９（ａ）は係止解除前の状態を示す説明図、図１９（ｂ）は係止解除時の状態を示す説明図である。
【発明を実施するための形態】
【００１９】
本発明に係るコネクタの具体的な実施形態について、各図を参照しながら以下に説明する。
【００２０】
図１〜図１２は実施形態に係るコネクタ１を示している。
コネクタ１は、相手方コネクタ２と嵌合されるコネクタであり、図１及び図２に示すように、樹脂製のコネクタハウジング１０と、それぞれ電線Ｗの先端に取り付けられてコネクタハウジング１０の内部に収容保持される必要個数の金属製の端子５０と、コネクタハウジング１０の内部に前方から装着される樹脂製のフロントホルダ７０と、コネクタハウジング１０に回動自在に装着され、両コネクタ１、２を嵌合させる際に、両コネクタ１、２を初期嵌合状態にした上で仮係止位置から本係止位置まで回動させられることにより、てこの原理を利用して小さい力で両コネクタ１、２を完全嵌合させるレバー８０と、防水栓６０及びパッキン６５と、を備えている。
【００２１】
コネクタハウジング１０には、前面に開口１１ａを有するアウタハウジング部１１と、その内側のインナハウジング部１２とが設けられており、アウタハウジング部１１とインナハウジング部１２との間には、両コネクタ１、２の嵌合時に、相手方コネクタ２のハウジング３のフード部４が進入するフード部嵌合スペース１３が確保されている。尚、アウタハウジング部１１とインナハウジング部１２は、後から装着する部品の邪魔にならない位置で互いに一体に連結されている。
【００２２】
インナハウジング部１２の内部には、図３に示すように、それぞれ後方から端子５０が挿入される複数の端子収容室１４と、端子収容室１４に後方から挿入される端子５０の前端が突き当たることで端子５０を前方向に位置決めするストッパ１５と、端子収容室１４に後方から端子５０が挿入された際に端子５０に押されて端子５０の挿入経路の外側（図３では下側。）へ一旦撓み変形し、端子５０がストッパ１５で位置決めされる位置まで挿入された段階で撓みから復帰して、端子５０を後方へ位置決め係止して抜け止めする可撓性を有するランス２０と、が設けられている。
【００２３】
ランス２０は、インナハウジング部１２の内周壁から延設され、自由端である先端を前方に向けて片持状に設けられている。このランス２０は、図６に示すように、端子５０のボックス部５１の幅寸法に対応した１枚の幅広の板状に形成されている。ランス２０の自由端である先端に近い幅広面には、幅方向中央に端子５０の係止孔５４に係合するビーク２２が突設されている。また、該幅広面には、幅方向両端近傍に端子５０の係止凹部５５、５５にそれぞれ係合する一対のビーク２３、２３が突設されている。
【００２４】
ランス２０には、ランス２０の剛性を低下させるためのスリット２４が前後方向に沿って形成されている。スリット２４は、ランス２０の幅方向において並んで一対に形成されている。該一対のスリット２４によりランス２０の幅方向に切り離された３つの部分の先端は、連結部２５により相互に連結されている。また、ランス２０の幅方向両端に配されたビーク２３と幅方向中央に置されたビーク２２の位置は前後方向にずれており、３つのビーク２２、２３の前端が係止孔５４及び係止凹部５５の前部孔縁に係合し、少なくとも幅方向両端に配されたビーク２３の側面が係止凹部５５の側部孔縁に係合するように構成されている。また、幅方向両端に配されたビーク２３は幅方向中央に配されたビーク２２よりも前後方向に長く形成されている。
【００２５】
ランス２０は、フロントホルダ７０が仮係止位置にあるとき、コネクタハウジング１０の後方より挿入された端子５０に押されて一旦撓み空間２８側に撓み変形し、端子５０がストッパ１５で止まる位置まで挿入された段階で撓みから復帰することにより、端子５０を抜け止め係止できるように構成されている。
【００２６】
端子５０は、図７に示すように、前部に、相手方コネクタ２のオスタブ端子（相手方端子、図示せず。）が前方から進入してきたときに該オスタブ端子を受け入れて接触導通する扁平角筒状のボックス部５１を有し、後部に、電線Ｗの先端に加締め固定するための電線加締部５９を有する。ボックス部５１は、一枚の金属板を折り曲げ成形することにより形成されている。ボックス部５１を構成する幅広の周壁の幅方向中央には、ランス２０のビーク２２と係合する係止孔５４が設けられている。また、当該周壁の幅方向両端には、ランス２０の一対のビーク２３、２３とそれぞれ係合する一対の係止凹部５５、５５が設けられている。係止凹部５５は、ボックス部５１の壁面の一部を切り欠いて形成した折曲げ片５８ａ、５８ｂをボックス部５１の内側に向けて折り曲げることにより形成されている。また、当該周壁の係止孔５４及び係止凹部５５よりも後端側には、一対のスタビライザ（規制部）５２が設けられている。スタビライザ５２は、ボックス部５１の壁面の一部を切り欠いて形成した折曲げ片５８ｃをボックス部５１の外側に向けて垂直に折り曲げることにより形成されている。ボックス部５１の内部には、オスタブ端子を受け入れる差し込みスペース４０と、差し込みスペース４０に進入してきたオスタブ端子をボックス部５１の内壁との間で弾性挟持して、端子５０とオスタブ端子とを電気的に接続するバネ片５３と、が設けられている。
【００２７】
バネ片５３は、ボックス部５１とは別体に形成され、図７に示すように、相手方コネクタ２のオスタブ端子と弾性接触する接触部５７と、接触部５７と一体に形成された係止片部５６と、を有している。バネ片５３は、係止片部５６が図７に示すようにボックス部５１の折曲げ片５８ａ、５８ｂに係止されることにより、ボックス部５１と係合している。また、図７に示すように、係止片部５６の一部は、係止凹部５５からボックス部５１の外部に向かって露出している。
【００２８】
ランス２０が端子収容室１４に挿入された端子５０を抜け止めしている状態においては、係止凹部５５に係合したビーク２３が、バネ片５３の係止片部５６をランス２０を係止方向に押圧して、折曲げ片５８ａとの間に係止片部５６を挟持している。より具体的には、ビーク２３が、折曲げ片５８ａとの間に、係止片部５６のボックス部５１から外部に露出した部分を押圧して挟持している。このため、係止片部５６の上下方向への移動が規制されている。また、このとき、係止片部５６の左右方向の端面が折曲げ片５８ｂに当接しているため、バネ片５３の左右方向への移動も規制されている。
【００２９】
また、ランス２０が端子収容室１４に挿入された端子５０を抜け止めしている状態においては、図１１に示すように、一対のスタビライザ５２は、ランス２０のスリット２４にそれぞれ挿通されている。また、図１１に示すように、一対のスタビライザ５２は、スリット２４を画成するランス２０の壁面２０ａに、幅方向においてそれぞれ当接している。
【００３０】
端子５０に先端が固定された電線Ｗの外周には、端子収容室１４の周壁と電線Ｗの外周との間の隙間をシールするゴム製の防水栓６０が設けられ、コネクタハウジング１０のインナハウジング部１２の外周には、両コネクタ１、２を嵌合した際に相手方コネクタ２のフード部４とインナハウジング部１２との間の隙間をシールするパッキン６５が設けられており、これら防水栓６０及びパッキン６５のシール作用によりコネクタ１が防水仕様に構成されている。尚、図７に示すように、防水栓６０は、端子５０の後端において電線Ｗの絶縁被覆の上に加締め固定されている。
【００３１】
フロントホルダ７０は、図８に示すように、コネクタハウジング１０のインナハウジング部１２に対し前側の仮係止位置から後側の本係止位置に押し込み可能とされている。
【００３２】
このフロントホルダ７０には、インナハウジング部１２の前端外周部に嵌合する筒壁７１が設けられており、この筒壁７１の底部側に、図９（ｂ）に示すように、端子５０をランス２０により抜け止め係止した状態でフロントホルダ７０を仮係止位置から本係止位置に押し込んだとき、ランス２０の撓み空間２８内に進入してランス２０の撓みを禁止し、それにより端子５０を二重係止するランス押さえ部７８が設けられている。尚、フロントホルダ７０は、前後方向に貫通した形状に形成されており、図１０に示すように、フロントホルダ７０の前方から係止解除治具５００を挿入して、係止解除治具５００の先端でランス２０に形成された押圧部２１を押圧することにより、ランス２０を強制的に係止解除側に撓ませられるように構成されている。
【００３３】
レバー８０は、図１に示すように、互いに平行に対向する一対の側板８１、８２と、これら一対の側板８１、８２を連結する連結操作部８３と、を有している。このレバー８０は、両方の側板８１、８２を、コネクタハウジング１０のインナハウジング部１２を上下から挟む位置に配した状態で、コネクタハウジング１０に水平方向回動可能に装着されており、仮係止位置から回動させることにより、初期嵌合されている両コネクタ１、２を完全嵌合させることができるように構成されている。
【００３４】
次に組み立て手順と分解手順について説明する。
コネクタハウジング１０には、予めフロントホルダ７０、レバー８０、パッキン６５が組み付けられており、フロントホルダ７０及びレバー８０は仮係止位置に保持されている。この状態において、電線Ｗの先端に取り付けられた端子５０をコネクタハウジング１０に組み付ける場合には、図３、図４に示すように、端子収容室１４に後方から端子５０を挿入する。端子５０を挿入すると、電線Ｗの外周に装着された防水栓６０が端子収容室１４の周壁内面に密着し、端子収容室１４の周壁と電線Ｗの外周の隙間がシールされる。
【００３５】
このとき、端子５０を上下逆向きに挿入しようとした場合（即ち、誤った向きで挿入しようとした場合。）、図１２に示すように、端子５０のスタビライザ５２が端子収容室１４の後側の縁部（当接部）１０ａに当接するため、端子５０を端子収容室１４に挿入できない。一方、図３に示すように、端子５０を正規の挿入向きで挿入しようとした場合には、スタビライザ５２は端子収容室１４に当接せず、端子５０を端子収容室１４に挿入できる。このため、端子５０の挿入方向を間違える誤挿入の発生を抑制できる。
【００３６】
また、端子５０を挿入した際に、図４（ａ）に示すように、ランス２０が、端子５０に押されることにより一旦端子５０の挿入経路から外側に矢印Ｘのように撓む。この段階では、フロントホルダ７０が仮係止位置にあることにより、ランス２０の外側にランス２０の撓み空間２８が確保されている。挿入された端子５０は、図４（ｂ）及び図６（ｂ）に示すように、前端が端子収容室１４の前端に設けられたストッパ１５に当たることで止まり、同時にランス２０が元の位置に撓みから復帰し、ランス２０の３つのビーク２２、２３がそれぞれ端子５０の係止孔５４、係止凹部５５に係合して、それにより、端子５０が係止状態に保持される。
【００３７】
次に、図８に示すように、仮係止状態にあるフロントホルダ７０を押し込むことで、フロントホルダ７０が本係止され、同時に、フロントホルダ７０のランス押さえ部７８がランス２０の撓み空間２８に入り込んで、ランス２０を撓み不可能な状態に保持する。これにより、端子５０が二重係止により固定される。
【００３８】
この状態から端子５０を取り外す場合は、図９に示すように、まず、フロントホルダ７０を本係止位置から仮係止位置に引き戻し、ランス２０を撓み可能な状態にする。次に図１０に示すように、フロントホルダ７０の前方から係止解除治具５００の先端を挿入して、係止解除治具５００の先端でランス２０の押圧部２１を押圧し、ランス２０を強制的に外側に撓ませる。そうすると、ランス２０のビーク２２、２３が端子５０の係止孔５４、係止凹部５５からそれぞれ外れるので、その状態で端子５０を後方に引っ張ることにより、端子収容室１４から端子５０を取り外すことができる。
【００３９】
このとき、本実施形態に係るコネクタ１では、図１１に示すように、一対のスタビライザ５２がランス２０の壁面２０ａに幅方向において当接しているため、上下方向への移動時には、ランス２０はスタビライザ５２により案内される。また、係止解除時にランス２０の押圧部２１の幅方向中央からずれた位置が押圧され、ランス２０に捩れモーメントが作用してランス２０が捩れ変形しようとする場合であっても、当該捩れ変形がスタビライザ５２により規制される。即ち、ランス２０に捩れモーメントが作用した場合であっても、ランス２０に幅方向において当接しているスタビライザ５２が当該捩れモーメントに対する受け部として作用するため、ランス２０の捩れ変形が抑制される。また、ランス２０による係止解除時についてのみ説明したが、端子５０が端子収容室１４に挿入されることによりランス２０が撓み変形する際、及び当該撓み変形から復帰して端子５０を抜け止め係止する際にも、ランス２０はスタビライザ５２により案内される。
【００４０】
以下では、本実施形態に係るコネクタ１の作用及び効果を説明する。
【００４１】
本実施形態に係るコネクタ１は、オスタブ端子（相手方端子）と電気的に接続する筒状の端子５０と、該端子５０が挿入される端子収容室１４と、該端子収容室１４に挿入された端子５０を抜け止めする可撓性を有するランス２０と、を有するコネクタハウジング１０と、を備えている。そして、端子５０の壁面には、捩れ変形しようとするランス２０に幅方向において当接するスタビライザ５２（規制部）が、端子５０の外側に向けて突設されている。
これにより、捩れ変形しようとするランス２０にスタビライザ５２が幅方向において当接するため、ランス２０の捩れ変形が規制される。このため、幅方向中央からずれた位置が押圧されてランス２０が捩れ変形しようとした場合であっても、当該捩れ変形を抑制できる。また、本実施形態に係るコネクタ１は、特に、本実施形態のようにランス２０が幅広に形成されており、係止解除時にランス２０に捩れ変形が生じ易い場合に有用である。
【００４２】
また、本実施形態に係るコネクタ１では、スタビライザ５２が、端子５０の壁面の一部を端子５０の外側に向けて折り曲げることにより形成されている。
これにより、折り曲げという平易な製造工程により端子５０にスタビライザ５２を形成することができるため、製造が容易であり、製造コストの増加を抑制できる。
【００４３】
また、本実施形態に係るコネクタ１では、ランス２０には、ランス２０の剛性を低下させるためのスリット２４が前後方向に沿って形成され、ランス２０による端子５０の抜け止め時には、スタビライザ５２がスリット２４に挿通される。
これにより、ランス２０による端子５０の抜け止め時には、ランス２０の剛性を低下させるためのスリット２４に規制部が挿通されるため、コネクタ１を小型化でき、省スペース化及び低コスト化を図ることができる。また、スリット２４が形成されたことによりランス２０の剛性が低下し、捩り変形が生じ易い場合にも、スリット２４に挿通されたスタビライザ５２により当該捩り変形の発生を抑制できる。
【００４４】
また、本実施形態に係るコネクタ１では、端子５０が端子収容室１４に誤った向きで挿入された場合には、スタビライザ５２が端子収容室１４の後側の縁部（当接部）１０ａに当接する。
これにより、端子５０が端子収容室１４に誤った向きで挿入された場合にはスタビライザ５２が縁部１０ａに当接するため、端子５０の誤挿入の発生を抑制できる。
【００４５】
尚、本発明の技術的範囲は、上述した実施形態に限定されるものではない。上述した実施形態は、本発明の技術的範囲内で種々の変形や改良等を伴うことができる。
【００４６】
例えば、本実施形態に係るコネクタ１では、スタビライザ５２が、ボックス部５１の壁面の一部を切欠いて形成した折曲げ片５８ｃを折り曲げることにより形成される構成としたが、他の公知の手法により形成される構成としても構わない。例えば、鋳造や溶接によりスタビライザ５２を形成する構成としても構わない。
【００４７】
また、本実施形態に係るコネクタ１では、スタビライザ５２が幅方向に並んで一対に形成されている構成としたが、単一のスタビライザ５２が形成されている構成としても構わない。また、スタビライザ５２が３つ以上形成されている構成としても構わない。
【００４８】
また、本実施形態に係るコネクタ１では、スタビライザ５２がスリット２４に挿通され、スリット２４を画成するランス２０の壁面２０ａに当接する構成としたが、スタビライザ５２が捩れ変形しようとするランス２０に幅方向において当接する構成であれば他の構成であっても構わない。例えば、本実施形態に係るコネクタ１のように、ランス２０が捩れ変形する前からランス２０とスタビライザ５２とが当接している構成ではなく、ランス２０が捩れ変形する前にはランス２０とスタビライザ５２が当接せず、ランス２０が捩れ変形すると、ランス２０とスタビライザ５２が当接する構成としても構わない。また、本実施形態に係るコネクタ１のように、スタビライザ５２が、ランス２０による端子５０の抜け止め時にスリット２４に挿通される位置に設けられる構成ではなく、一対のスタビライザ５２が、ボックス部５１の左右方向の両側壁の外側にそれぞれ当接する位置に設けられる構成としても構わない。
【符号の説明】
【００４９】
１  コネクタ
２  相手方コネクタ
３  ハウジング
４  フード部
１０  コネクタハウジング
１０ａ  縁部（当接部）
１１  アウタハウジング部
１２  インナハウジング部
１４  端子収容室
２０  ランス
２０ａ  壁面
２２  ビーク
２３  ビーク
２４  スリット
４０  差し込みスペース
５０  端子
５１  ボックス部
５２  スタビライザ（規制部）
５３  バネ片
５４  係止孔
５５  係止凹部
５６  係止片部
５７  接触部
５８ａ  折曲げ片
５８ｂ  折曲げ片
【図１】
2014035881.tif 000003
【図２】
2014035881.tif 000004
【図３】
2014035881.tif 000005
【図４】
2014035881.tif 000006
【図５】
2014035881.tif 000007
【図６】
2014035881.tif 000008
【図７】
2014035881.tif 000009
【図８】
2014035881.tif 000010
【図９】
2014035881.tif 000011
【図１０】
2014035881.tif 000012
【図１１】
2014035881.tif 000013
【図１２】
2014035881.tif 000014
【図１３】
2014035881.tif 000015
【図１４】
2014035881.tif 000016
【図１５】
2014035881.tif 000017
【図１６】
2014035881.tif 000018
【図１７】
2014035881.tif 000019
【図１８】
2014035881.tif 000020
【図１９】
2014035881.tif 000021